(57)【要約】【課題】分光測定器のアパーチャを換えることなく、測定の分解能を向上させるモニタの分光分布測定方法を提供することを課題とする。【解決手段】分光測定器を用いたモニタの分光分布の測定方法であって、前記分光測定器の測定領域より小さいサイズのカラーパッチを前記モニタに表示し、前記モニタの前記カラーパッチ以外の領域を黒色として、前記カラーパッチを前記分光測定器を用いて測定する第１測定工程と、前記第１測定工程により得られた分光分布を１以上の値を有する補正係数を乗算することにより補正分光分布を取得する補正工程と、を有することを特徴とする。【選択図】図３
2010203825.tif 000002
【特許請求の範囲】
【請求項１】
分光測定器を用いたモニタの分光分布の測定方法であって、
前記分光測定器の測定領域より小さいサイズのカラーパッチを前記モニタに表示し、前記モニタの前記カラーパッチ以外の領域を黒色として、前記カラーパッチを前記分光測定器を用いて測定する第１測定工程と、
前記第１測定工程により得られた分光分布を１以上の値を有する補正係数を乗算することにより補正分光分布を取得する補正工程と、
を有することを特徴とするモニタの分光分布測定方法。
【請求項２】
請求項１に記載のモニタの分光分布測定方法において、
前記第１測定工程は、前記モニタの前記カラーパッチ以外の領域を最低輝度の発光状態とすることにより、当該領域を黒色にて表示することを特徴とするモニタの分光分布測定方法。
【請求項３】
請求項１に記載のモニタの分光分布測定方法において、
前記第１測定工程は、前記モニタの前記カラーパッチ以外の領域を、
前記モニタ側から前記分光測定器側への光の透過率が２０％以下であって、前記分光測定器側の光の反射率が２０％以下である遮蔽物で覆うことにより、当該領域を黒色とすることを特徴とするモニタの分光分布測定方法。
【請求項４】
請求項１乃至請求項３のいずれか一項に記載のモニタの分光分布測定方法において、
前記分光測定器の測定領域以上のサイズのカラーパッチを前記モニタに表示し、当該表示されたカラーパッチを前記分光測定器を用いて測定する第２測定工程と、
前記第２測定工程により得られた分光分布Ｐ２（λ）と、前記第１測定工程により得られた分光分布Ｐ１（λ）に基づいて以下の式（１）により補正係数ｋを算出する工程と、  を有し、
前記補正工程は、前記第１測定工程により得られた分光分布Ｐ１（λ）と、算出した補正係数ｋに基づいて以下の式（２）により補正分光分布Ｐ（λ）を取得することを特徴とするモニタの分光分布測定方法。
【数１】
2010203825.tif 000005
【請求項５】
パッチサイズの調整方法について特定。
請求項１乃至請求項４のいずれか一項に記載のモニタの分光分布測定方法において、
前記モニタに黒色パッチを表示し、前記分光測定器を用いて当該表示された黒色パッチの輝度値を測定する工程と、
測定された黒色パッチの輝度値に、予め定められた輝度値の誤差を加算して閾値を算出する工程と、
前記モニタにサイズが異なるカラーパッチを表示させて、それぞれの輝度値を測定し、算出された閾値よりも大きい輝度値を有するカラーパッチのうち、サイズが最小であるカラーパッチを、前記第１測定工程において前記モニタに表示するカラーパッチとして決定する工程と、
を有することを特徴とするモニタの分光分布測定方法。
【発明の詳細な説明】
【技術分野】
【０００１】
本発明は、モニタのカラーマネージメント等において行なわれるモニタの分光分布の測定方法に関する。
【背景技術】
【０００２】
近年、スキャナ、デジタルカメラなどの入力機器、モニタなどの表示機器、プリンタ、印刷などの出力機器の特性を把握し、その特性をファイルに記述し、その特性ファイルを利用することにより、様々なデバイスの色を合わせる、カラーマネージメントという技術が一般的となっている。
【０００３】
このカラーマネージメントは、ＩＣＣ（International Color Consortium）なる団体が提唱するＩＣＣ規格に従って行われることが一般的であり、かかるＩＣＣ規格では、特性ファイルをプロファイルと呼ぶ。
【０００４】
特に、モニタのカラーマネージメントでは、モニタを所定の特性にキャリブレーションしてから、モニタプロファイルを作成することが一般的である。また、カラーモニタのキャリブレーションのみを行ない、プロファイルの作成は所定の特性のもとに行なう方法や、キャリブレーションは行なわずに、プロファイルの作成のみを行なう方法もある。
【０００５】
モニタをカラーマネージメントするためには、白色点の色度、輝度、階調再現特性、ＲＧＢ原色の色度の３要素を測定する必要がある。この測定では、測定器が測定する領域よりも大きいサイズのカラーパッチを配置する。
【０００６】
このとき使用される測定器は大きく分けて刺激値直読型と分光型がある。
【０００７】
刺激値直読型は、等色関数の分光応答に近似された光学フィルタを通して、直接刺激値を測定し、分光型は、回折格子を用いて分光し、波長ごとの放射量を測定する。そして、等色関数データを使って刺激値が計算される。
【０００８】
刺激値直読型は比較的安価であるが、等色関数と同じ分光応答をもつ光学フィルタの設計は困難であり、一般的に分光型よりも測定精度が劣り、特許文献１に開示されるような測定精度向上手法が提案されている。しかしながら、刺激値直読型では分光分布の測定はできないため、精度向上には限界がある。そのため、高精度な測定には、分光型が使用される。
【０００９】
分光型の測定器は、測定器内部に具備するアパーチャによって測定する領域が決まり、アパーチャを通過した光が回折格子で分光されてセンサーに照射される。アパーチャ角が大きいほど、入射光量が増加し、積算時間が短くてもノイズの影響を受けにくいが、回折格子に光が入射する角度にばらつきが生じるため分解能が低下する。また、アパーチャ角が小さいほど、ノイズの影響を減少させるために十分な積算時間が必要になるが、分解能は向上する。そのため、通常は測定器の使用用途によって適切なアパーチャが組み込まれている。
【先行技術文献】
【特許文献】
【００１０】
【特許文献１】特開２００７‐３２２２０３号公報
【発明の概要】
【発明が解決しようとする課題】
【００１１】
一方で、カラーマネージメントの対象であるモニタには、ＣＲＴモニタや、液晶モニタがある。図１０乃至図１２にアパーチャ角０．５度のアパーチャを有する分光型の測色器にて測定したＣＲＴモニタ及び液晶モニタの分光分布を示す。
【００１２】
図１０はＣＲＴモニタの分光分布、図１１は冷陰極管を用いた液晶モニタの分光分布、そして、図１２はＬＥＤを用いた液晶モニタの分光分布である。何れも、横軸が波長λ（ｎｍ）、縦軸が分光放射輝度である。
【００１３】
図１０乃至図１２に示すように、ＣＲＴモニタや、液晶モニタは、波長による放射量の変化が大きい。そのため、分解能が低い測定器では正確な測定ができない。
【００１４】
従って、モニタの分光分布の測定の際には、可能な限り分解能の高い、言い換えれば、アパーチャ角の小さい分光測定器を用いて測定することが望ましい。
【００１５】
しかしながら、分光測定器内に具備されるアパーチャは一般的に交換することができず、また、交換可能であっても、費用や交換の手間がかかるという問題がある。
【００１６】
本発明は、上記の問題に鑑みなされたものであり、分光測定器のアパーチャを換えることなく、測定の分解能を向上させるモニタの分光分布測定方法を提供することを課題とする。
【課題を解決するための手段】
【００１７】
上記課題を解決すべく、請求項１に記載のモニタの分光分布測定方法は、分光測定器を用いたモニタの分光分布の測定方法であって、前記分光測定器の測定領域（例えばアパーチャ径）より小さいサイズのカラーパッチ（例えば白色パッチ）を前記モニタに表示し、前記モニタの前記カラーパッチ以外の領域を黒色として、前記カラーパッチを前記分光測定器を用いて測定する第１測定工程と、前記第１測定工程により得られた分光分布を１以上の値を有する補正係数を乗算することにより補正分光分布を取得する補正工程と、を有することを特徴とするモニタの分光分布測定方法である。
【００１８】
この発明によれば、分光測定器の測定領域（アパーチャ径）よりも小さいサイズのカラーパッチをモニタに表示して測定し、得られた分光分布を１以上の補正係数を乗算して拡大補正することにより、分光測定器のアパーチャを換えることなく、測定の分解能を向上させることが可能なモニタの分光分布測定方法を実現できる。
【００１９】
上記課題を解決すべく、請求項２に記載のモニタの分光分布測定方法は、請求項１に記載のモニタの分光分布測定方法において、前記第１測定工程は、前記モニタの前記カラーパッチ以外の領域を最低輝度の発光状態とすることにより、当該領域を黒色にて表示することを特徴とするモニタの分光分布測定方法である。
【００２０】
この発明によれば、正確且つ厳密にモニタの分光分布測定を行なうことができる。
【００２１】
上記課題を解決すべく、請求項３に記載のモニタの分光分布測定方法は、請求項１に記載のモニタの分光分布測定方法において、前記第１測定工程は、前記モニタの前記カラーパッチ以外の領域を、前記モニタ側から前記分光測定器側への光の透過率が２０％以下であって、前記分光測定器側の光の反射率が２０％以下である遮蔽物で覆うことにより、当該領域を黒色とすることを特徴とするモニタの分光分布測定方法である。
【００２２】
この発明によれば、正確且つ厳密にモニタの分光分布測定を行なうことができる。
【００２３】
上記課題を解決すべく、請求項４に記載のモニタの分光分布測定方法は、請求項１乃至請求項３のいずれか一項に記載のモニタの分光分布測定方法において、前記分光測定器の測定領域以上のサイズのカラーパッチを前記モニタに表示し、当該表示されたカラーパッチを前記分光測定器を用いて測定する第２測定工程と、前記第２測定工程により得られた分光分布Ｐ２（λ）と、前記第１測定工程により得られた分光分布Ｐ１（λ）に基づいて以下の式（１）により補正係数ｋを算出する工程と、を有し、前記補正工程は、前記第１測定工程により得られた分光分布Ｐ１（λ）と、算出した補正係数ｋに基づいて以下の式（２）により補正分光分布Ｐ（λ）を取得することを特徴とするモニタの分光分布測定方法である。
【数１】
2010203825.tif 000003
【００２４】
この発明によれば、分光測定器の測定領域以上のサイズのカラーパッチ（例えば、輝度補正用白色パッチ）を測色することにより、正確な明るさ（輝度）を取得し、これに基づいて補正係数ｋを取得したので、より正確に輝度補正することができる。
【００２５】
上記課題を解決すべく、請求項５に記載のモニタの分光分布測定方法は、請求項１乃至請求項４のいずれか一項に記載のモニタの分光分布測定方法において、前記モニタに黒色パッチを表示し、前記分光測定器を用いて当該表示された黒色パッチの輝度値（ＹＢｌａｃｋ）を測定する工程と、測定された黒色パッチの輝度値に、予め定められた輝度値の誤差（ΔＹＥｒｒｏｒ）を加算して閾値を算出する工程と、前記モニタにサイズが異なるカラーパッチを表示させて、それぞれの輝度値を測定し、算出された閾値よりも大きい輝度値を有するカラーパッチのうち、サイズが最小であるカラーパッチを、前記第１測定工程において前記モニタに表示するカラーパッチとして決定する工程と、を有することを特徴とするモニタの分光分布測定方法である。
【００２６】
この発明によれば、より高精度にモニタの分光分布を測定することができる。
【発明の効果】
【００２７】
本発明によれば、分光測定器の測定領域（アパーチャ径）よりも小さいサイズのカラーパッチをモニタに表示して測定し、得られた分光分布を１以上の補正係数を乗算して拡大補正することにより、分光測定器のアパーチャを換えることなく、測定の分解能を向上させることが可能なモニタの分光分布測定方法を実現できる。
【図面の簡単な説明】
【００２８】
【図１】本実施形態に係る分光分布測定システムＳの構成の概略及び使用状態を示す説明図である。
【図２】分光測定器２の概略構成図である。
【図３】（Ａ）モニタＭにおける白色パッチの表示位置と分光測定器２の測定領域の位置を示す説明図である。（Ｂ）は測定領域であるアパーチャ径Ｒの説明図である。
【図４】白色パッチの直径と測定された輝度値Ｙのグラフである。
【図５】白色パッチの分光分布Ｐ１（λ）の一例である。
【図６】輝度補正用白色パッチの一例である。
【図７】輝度補正用白色パッチの分光分布Ｐ２（λ）の一例である。
【図８】補正分光分布Ｐ（λ）の一例である。
【図９】アパーチャ角θ＝０．５度のアパーチャを有する分光測定器によって測定されたモニタＭの分光分布である。
【図１０】ＣＲＴモニタの分光分布である。
【図１１】冷陰極管を用いた液晶モニタの分光分布である。
【図１２】ＬＥＤを用いた液晶モニタの分光分布である。
【発明を実施するための形態】
【００２９】
以下、本発明の好適な実施の形態を添付図面に基づいて説明する。
【００３０】
＜１．分光分布測定システムＳの構成及び機能＞
先ず、本実施形態に係る分光分布測定システムＳのについて、図１を用いて概念的に説明する。
【００３１】
図１は、本実施形態に係る分光分布測定システムＳの構成の概略及び使用状態を示す説明図である。
【００３２】
同図に示すように、当該分光分布測定システムＳは、カラーマネージメントの対象となるカラーモニタであるモニタＭを具備する表示装置１、当該モニタＭに表示された白色パッチ（カラーパッチの一例）の測色を行なう分光測定器２、及び当該表示装置１及び分光測定器２を接続し、後述する補正係数ｋの算出処理等を行なうコンピュータ３により構成されている。
【００３３】
表示装置１は、例えば、カラーＣＲＴ、カラー液晶表示装置、カラープラズマディスプレイ表示装置等、光の三原色Ｒ（赤）、Ｇ（緑）、Ｂ（青）の加法混色によって色再現を行なうモニタＭを具備する表示装置である。本実施形態では、冷陰極管バックライト液晶によるモニタＭを具備する表示装置１を用いる。
【００３４】
分光測定器２は、アパーチャ、回折格子、センサー等により構成される非接触型又は接触型の分光測定器を用いる。
【００３５】
図２に分光測定器２の概略構成図を示す。分光測定器２のアパーチャから入射した光が、回折格子により分光され、センサーにて波長ごとに放射輝度（分光放射輝度）を取得、測定するようになっている。本実施形態では、アパーチャ角θが２度の測定器を用いる。
【００３６】
コンピュータ３は、シリアル方式、ＵＳＢ方式、ＩＥＥＥ１３９４、或いはその他の適宜な方式で表示装置１及び分光測定器２とデータ通信可能に接続されており、分光測定器２によって測定された表示装置１のモニタＭに表示された白色パッチの測定結果を分光測定器２から受信し、また、後述する輝度補正にて用いる補正係数ｋを算出し、当該補正係数ｋを用いた輝度補正などの処理を行なう。
【００３７】
表示装置１のモニタＭに表示される白色パッチは、例えば、コンピュータ３がＲＧＢ階調値２５５（Ｒ＝Ｇ＝Ｂ＝２５５）の白色パッチデータを表示装置１に送信し、表示装置１がこれを受信して白色パッチをモニタＭに表示するよう構成する。なお、表示装置１の本体にモニタ表示調整機能がある場合には、コンピュータ３は、表示装置１にＲＧＢ階調値２５５（Ｒ＝Ｇ＝Ｂ＝２５５）となるようなＲＧＢ調整指示信号を送信し、表示装置１は受信したＲＧＢ調整指示信号に基づいて白色パッチをモニタＭに表示するように構成してもよい。
【００３８】
図３（Ａ）は、モニタＭにおける白色パッチの表示位置と分光測定器２の測定領域の位置を示す説明図である。
【００３９】
白色パッチの表示位置は、分光測定器２の測定領域（図中点線丸にて図示）の中央であることが好ましい。従って、白色パッチが、分光測定器２の測定領域の中央に位置するように、目視にて配置させてもよく、或いは、白色パッチをモニタＭの上下方向（モニタｙ方向）、モニタＭの左右方向（ｘ方向）に移動させながら分光測定器２により放射輝度を測定し、白色パッチを上下方向に移動させながら測定した際に、測定値がほぼ０となって変化しなくなる上下方向の各位置の中間の位置をｙ方向の位置として決定し、白色パッチを左右方向に移動させながら測定した際に、測定値がほぼ０となって変化しなくなる左右方向の各位置の中間の位置をｘ方向の位置として決定し、決定した位置に白色パッチを配置させるよう構成してもよい。
【００４０】
また、白色パッチの形状は、分光測定器２の測定領域（アパーチャ径）が通常円形であることから、円形であることが好ましい。
【００４１】
図３（Ｂ）は測定領域であるアパーチャ径Ｒの説明図であり、アパーチャ径Ｒは、分光測定器２のアパーチャ角θと、モニタＭと分光測定器２の距離Ｌと、により決定される。例えば、アパーチャ角θが２度、モニタＭと分光測定器２の距離Ｌが５０ｃｍである場合には、アパーチャ径Ｒは約１７ｍｍ程度となる。
【００４２】
そして、分光測定器２の測定領域（アパーチャ径Ｒ）より小さい直径５ｍｍ程度の円形の白色パッチがモニタＭに表示され、分光測定器２により測定される。なお、白色パッチのサイズは、分光測定器２の測定領域のサイズよりもできるだけ小さいほうがよい。
【００４３】
なお、モニタＭへの室内照明等の映り込みを防ぐために、分光測定器２による白色パッチ（及び後述する輝度補正用白色パッチ）の測定は、暗室で行なうことが好ましい。
【００４４】
＜２．白色パッチのサイズ決定＞
次に、本実施形態による白色パッチのサイズの決定方法について詳細に説明する。
【００４５】
先ず、表示装置１は、黒色パッチをモニタＭに表示する。例えば、コンピュータ３から出力されたＲＧＢ階調値０（Ｒ＝Ｇ＝Ｂ＝０）の黒色パッチデータを受信することにより、当該黒色パッチデータに基づいて黒色パッチをモニタＭに表示する。
【００４６】
次いで、分光測定器２により、黒色パッチの輝度値ＹＢｌａｃｋを測定し、コンピュータ３が、分光測定器２から測定した輝度値ＹＢｌａｃｋのデータを取得する。
【００４７】
そして、コンピュータ３が、分光測定器２の輝度値の誤差ΔＹＥｒｒｏｒを輝度値ＹＢｌａｃｋに加算して閾値（ＹＢｌａｃｋ＋ΔＹＥｒｒｏｒ）を算出する。なお、輝度値の誤差ΔＹＥｒｒｏｒは、分光測定器２の性能やモニタＭの画素サイズ等によって予め定められており、コンピュータ３の図示しない記憶部等に予め記憶させておく。
【００４８】
続いて、表示装置１は、サイズが異なる白色パッチをモニタＭに表示し、分光測定器２により、各白色パッチについて輝度値Ｙを測定する。なお、モニタＭに各白色パッチを順に表示させて、分光測定器２により順に各白色パッチの輝度値Ｙを測定するよう構成してもよく、或いは、モニタＭに複数の白色パッチを同時に並べて表示させて、分光測定器２を移動させながら（又はモニタＭを移動させながら）分光測定器２の測定領域を各白色パッチを測定領域中央に併せながら各輝度値Ｙを順に測定するよう構成してもよい。このとき、分光測定器２の測定領域内には測定する白色パッチのみが入るようにする。
【００４９】
そして、コンピュータ３が、分光測定器２から各白色パッチの輝度値Ｙのデータを取得する。
【００５０】
図４に白色パッチの直径と測定された輝度値Ｙのグラフを示す。
【００５１】
同図に示すように、白色パッチの直径が大きくなるにつれて、輝度値Ｙも大きくなる。
【００５２】
コンピュータ３は、各白色パッチの輝度値Ｙと、閾値（ＹＢｌａｃｋ＋ΔＹＥｒｒｏｒ）とを比較して、閾値よりも大きい輝度値Ｙを有する白色パッチのうち、サイズ（直径）が最小の白色パッチを、測定対象の白色パッチとして決定する。
【００５３】
＜３．白色パッチの分光分布測定＞
次に、決定された測定対象の白色パッチについて、分光測定器２により、分光分布を測定する。
【００５４】
表示装置１は、コンピュータ３から出力された決定された測定対象の白色パッチの白色パッチデータを受信することにより、当該白色パッチデータに基づいて白色パッチをモニタＭに表示する。
【００５５】
なお、モニタＭの白色パッチ以外の部分（領域）を黒色とするよう構成する。
【００５６】
例えば、表示装置１のモニタＭの白色パッチ以外の部分（領域）を最低輝度の発光状態（画素値Ｒ＝Ｇ＝Ｂ＝０）とすることにより、白色パッチ以外の部分を黒色にて表示したり、又は、表示装置１のモニタＭの白色パッチ以外の部分（領域）を、モニタＭ側から分光測定器２側への光の透過率が所定値（例えば、２０％）以下である紙、布、板等の遮蔽物で覆うことにより、白色パッチ以外の部分を黒色とするよう構成する。
【００５７】
また、上述したように、分光測定器２による白色パッチの測定は、暗室で行なうことが好ましいが、遮蔽物で覆って白色パッチ以外の部分を黒色とする場合には、更に、上記遮蔽物の少なくとも分光測定器２側の光の反射率が所定値（例えば、２０％）以下である遮蔽物を用いることがより好ましい。
【００５８】
そして、分光測定器２により白色パッチの分光分布を測定し、コンピュータ３が、分光測定器２から測定した分光分布のデータを取得する。
【００５９】
図５に測定された分光分布Ｐ１（λ）の一例を示す。
【００６０】
図５は、横軸が波長λ（ｎｍ）、縦軸が分光放射輝度Ｐ１である白色パッチの分光分布Ｐ１（λ）である。
【００６１】
分光測定器２の測定領域より小さいサイズの白色パッチを測定しているため、モニタＭの正確な明るさ（輝度）が測定できていない。そこで、分光測定器２の測定領域以上の大きさの白色パッチ（以下、輝度補正用白色パッチと言う）を測定して、輝度補正を行なう。
【００６２】
＜４．輝度補正＞
先ず、表示装置１は、コンピュータ３から出力された決定された測定対象の輝度補正用白色パッチの輝度補正用白色パッチデータを受信することにより、当該輝度補正用白色パッチデータに基づいて輝度補正用白色パッチをモニタＭに表示する。
【００６３】
図６に輝度補正用白色パッチの一例を示す。
【００６４】
図６に示すように、輝度補正用白色パッチは、分光測定器２の測定領域（図中点線丸にて図示）以上の大きさとし、当該輝度補正用白色パッチを分光測定器２にて測定し、コンピュータ３が、分光測定器２から測定した分光分布のデータを取得する。
【００６５】
図７に測定された分光分布Ｐ２（λ）の一例を示す。
【００６６】
図７は、横軸が波長λ（ｎｍ）、縦軸が分光放射輝度Ｐ２である輝度補正用白色パッチの分光分布Ｐ２（λ）である。
【００６７】
輝度補正用白色パッチの分光分布Ｐ２（λ）は、分解能は低いが、輝度（明るさ）は正確である。
【００６８】
コンピュータ３は、白色パッチの分光分布Ｐ１（λ）（図５）と、輝度補正用白色パッチの分光分布Ｐ２（λ）（図７）に基づいて、以下の式（１）により補正係数ｋを算出する。式（１）中、ｙ￣（λ）は、CIE1931のXYZ表色系における等色関数を表す。なお、「ｙ￣」は、ｙの文字の上に、横棒（バー）を示すところを便宜的に示したものである。
【００６９】
図５及び図７からもわかるように、輝度補正用白色パッチの分光放射輝度Ｐ２は、白色パッチの分光放射輝度Ｐ１以上であることから、式（１）に基づいて算出される補正係数ｋは、１以上の値となる。
【００７０】
そして、白色パッチの分光分布Ｐ１（λ）と、算出した補正係数ｋに基づいて以下の式（２）により補正分光分布Ｐ（λ）を取得する。
【数２】
2010203825.tif 000004
【００７１】
図８に補正後の補正分光分布Ｐ（λ）の一例を示す。
【００７２】
図８は、横軸が波長λ（ｎｍ）、縦軸が分光放射輝度Ｐである白色パッチの補正分光分布Ｐ（λ）である。補正前の分光分布Ｐ１（λ）（図５）に比べて、明るさ（輝度）が拡大補正されている。
【００７３】
比較のため、同一測定条件（同一室内（例えば、照明光の条件が同一）、同一モニタＭ、同一白色パッチ等）の下、他の分光測定器によって測定して得られた分光分布を図９に示す。
【００７４】
図９は、アパーチャ角θ＝０．５度のアパーチャを有する分光測定器によって測定さされたモニタＭの分光分布である。
【００７５】
アパーチャ角θ＝２度のアパーチャを有する分光測定器２によるモニタＭの分光分布（図８）と、アパーチャ角θ＝０．５度のアパーチャを有する分光測定器によるモニタＭの分光分布（図９）に示すように、本実施形態による分光分布測定によれば、アパーチャ角が大きい（θ＝２度）のアパーチャを有する分光測定器２によるモニタＭの分光分布であっても、アパーチャ角が小さい（θ＝０．５度）のアパーチャを有する分光測定器を使用した場合と同等程度まで測定分解能を向上させることができた。
【００７６】
以上、説明したように、本実施形態による分光分布測定方法によれば、分光測定器２の測定領域よりも小さいサイズの白色パッチを測定して得られた分光分布Ｐ１（λ）を、輝度補正により拡大補正することにより、分解能の高い分光分布Ｐを得ることができ、分光測定器２のアパーチャを換えることなく、測定分解能の高いモニタＭの分光分布測定方法を実現できる。
【００７７】
また、分光測定器２の測定領域以上のサイズの輝度補正用白色パッチを測色することにより、正確な明るさ（輝度）を取得し、これに基づいて補正係数ｋを取得したので、より正確に輝度を補正することができる。
【００７８】
また、モニタＭに白色パッチを表示して分光分布Ｐ１（λ）を測定する際には、白色パッチ以外の領域を画素値Ｒ＝Ｇ＝Ｂ＝０の黒色にて表示するため、より正確且つ厳密にモニタＭの分光分布測定を行なうことができる。
【００７９】
更に、モニタＭに表示させた黒色パッチの輝度値ＹＢｌａｃｋと、分光測定器２によって測定される輝度値の誤差ΔＹＥｒｒｏｒを加算して得た閾値よりも大きい輝度値Ｙを有する白色パッチのうち、最小のサイズの白色パッチを測定対象の白色パッチとして決定したので、より高精度にモニタＭの分光分布を測定することができる。
【００８０】
なお、本実施形態では、コンピュータ３が分光測定器２から分光分布のデータや輝度値Ｙのデータなどの測定結果を受信したが、コンピュータ３の操作者が分光測定器２による測定結果を分光測定器２の結果表示部を確認し、コンピュータ３に具備する入力装置（キーボード等）を操作して測定結果をコンピュータ３内に入力し、コンピュータ３が取得したデータに基づいて補正係数ｋの算出等を行なうよう構成してもよい。
【００８１】
また、本実施形態では白色パッチをモニタＭに表示しているが、その他のカラーパッチであってもよく、例えば、ＲＧＢカラーパッチの分光分布を求める際にも本発明を適用することができる。
【符号の説明】
【００８２】
Ｓ  分光分布測定システム
１  表示装置
Ｍ  モニタ              
２  分光測定器
３  コンピュータ
【図１】
2010203825.tif 000006
【図２】
2010203825.tif 000007
【図４】
2010203825.tif 000008
【図５】
2010203825.tif 000009
【図６】
2010203825.tif 000010
【図７】
2010203825.tif 000011
【図８】
2010203825.tif 000012
【図９】
2010203825.tif 000013
【図１０】
2010203825.tif 000014
【図１１】
2010203825.tif 000015
【図１２】
2010203825.tif 000016
【図３】
2010203825.tif 000017
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
分光測定器を用いたモニタの分光分布の測定方法であって、
前記分光測定器の測定領域より小さいサイズのカラーパッチを前記モニタに表示し、前記モニタの前記カラーパッチ以外の領域を黒色として、前記カラーパッチを前記分光測定器を用いて測定する第１測定工程と、
前記第１測定工程により得られた分光分布を１以上の値を有する補正係数を乗算することにより補正分光分布を取得する補正工程と、
を有することを特徴とするモニタの分光分布測定方法。
【請求項２】
請求項１に記載のモニタの分光分布測定方法において、
前記第１測定工程は、前記モニタの前記カラーパッチ以外の領域を最低輝度の発光状態とすることにより、当該領域を黒色にて表示することを特徴とするモニタの分光分布測定方法。
【請求項３】
請求項１に記載のモニタの分光分布測定方法において、
前記第１測定工程は、前記モニタの前記カラーパッチ以外の領域を、
前記モニタ側から前記分光測定器側への光の透過率が２０％以下であって、前記分光測定器側の光の反射率が２０％以下である遮蔽物で覆うことにより、当該領域を黒色とすることを特徴とするモニタの分光分布測定方法。
【請求項４】
請求項１乃至請求項３のいずれか一項に記載のモニタの分光分布測定方法において、
前記分光測定器の測定領域以上のサイズのカラーパッチを前記モニタに表示し、当該表示されたカラーパッチを前記分光測定器を用いて測定する第２測定工程と、
前記第２測定工程により得られた分光分布Ｐ２（λ）と、前記第１測定工程により得られた分光分布Ｐ１（λ）に基づいて以下の式（１）により補正係数ｋを算出する工程と、
を有し、
前記補正工程は、前記第１測定工程により得られた分光分布Ｐ１（λ）と、算出した補正係数ｋに基づいて以下の式（２）により補正分光分布Ｐ（λ）を取得することを特徴とするモニタの分光分布測定方法。
【数１】
2010203825.tif 000018
【請求項５】
請求項１乃至請求項４のいずれか一項に記載のモニタの分光分布測定方法において、
前記モニタに黒色パッチを表示し、前記分光測定器を用いて当該表示された黒色パッチの輝度値を測定する工程と、
測定された黒色パッチの輝度値に、予め定められた輝度値の誤差を加算して閾値を算出する工程と、
前記モニタにサイズが異なるカラーパッチを表示させて、それぞれの輝度値を測定し、算出された閾値よりも大きい輝度値を有するカラーパッチのうち、サイズが最小であるカラーパッチを、前記第１測定工程において前記モニタに表示するカラーパッチとして決定する工程と、
を有することを特徴とするモニタの分光分布測定方法。